Podtech/llm-jp-corpus-v4-ja_patent huggingface dataset:
【手続補正書】
【提出日】平成21年3月19日(2009.3.19)
【手続補正１】
【補正対象書類名】特許請求の範囲
【補正対象項目名】全文
【補正方法】変更
【補正の内容】
【特許請求の範囲】
【請求項１】
ディーゼル燃料を動力源とする内部燃焼機関用のシリンダーヘッドの製造用の未完成シリンダーヘッドキャスティングであって；
ここで、
前記未完成シリンダーヘッドキャスティングは密封表面（２）を有するものであり、
前記密封表面は、完成した状態で、エンジンブロックの相当する密封表面上へ取り付けられ、そして、未完成シリンダーヘッドキャスティング（１）の密封表面セクション（８）上に設計されるものであり、
鋳造状態における厚さ（Ｄ）は、密封表面（２）の材料除去後に得られるその設定された厚さ（Ｄｎ）に関連して、機械加工代（ＤＺ２）を示すものであり、そして、
エンジンブロック中に形成される燃焼室に関連する燃焼室領域（３）を、前記密封表面（２）が更に含むものとし；
密封表面（２）の燃焼室領域（３）における密封表面セクション（８）の機械加工代（ＤＺ３）が、密封表面の残留領域における密封表面セクション（８）の機械加工代（ＤＺ２）の最大１５％に達すること
を特徴とする、前記未完成シリンダーヘッドキャスティング。
【請求項２】
燃焼室領域（３）における密封表面セクション（８）の機械加工代（ＤＺ３）が、密封表面（２）の残留領域における密封表面セクション（８）の機械加工代（ＤＺ２）の最大１０％に達することを特徴とする、請求項１に記載の未完成シリンダーヘッドキャスティング。
【請求項３】
燃焼室領域（３）における密封表面セクション（８）の機械加工代（ＤＺ３）が、密封表面（２）の残留領域における密封表面セクション（８）の機械加工代（ＤＺ２）の最大７％に達することを特徴とする、請求項１に記載の未完成シリンダーヘッドキャスティング。
【請求項４】
燃焼室領域（３）における密封表面セクション（８）の機械加工代（ＤＺ３）が、密封表面（２）の残留領域における密封表面セクション（８）の機械加工代（ＤＺ２）の最大４％に達することを特徴とする、請求項１に記載の未完成シリンダーヘッドキャスティング。
【請求項５】
密封表面（２）と燃焼室領域（３）とが実質的に平坦に形成されることを特徴とする、請求項１〜４のいずれか一項に記載の未完成シリンダーヘッドキャスティング。
【請求項６】
バルブシート（４，５）の少なくとも１つが、燃焼室領域（３）中に形成されることを特徴とする、請求項１〜５のいずれか一項に記載の未完成シリンダーヘッドキャスティング。
【請求項７】
軽金属合金（特に、アルミニウム合金）から鋳造されることを特徴とする、請求項１〜６のいずれか一項に記載の未完成シリンダーヘッドキャスティング。
【請求項８】
ディーゼル燃料を動力源とする内部燃焼機関用のシリンダーヘッド（特に、軽合金メルトの金属メルトから鋳造される）であって；
ここで、
前記シリンダーヘッドは、材料除去により製造され、エンジンブロックの相当する密封表面上に取り取り付けられる密封表面（Ｆ）を有しているものとし、そして、
エンジンブロック中に形成される燃焼室と関連する燃焼室領域（Ｒ）を含んでいるものとする；
シリンダーヘッド（Ｚ）の表面に隣接する燃焼室領域（Ｒ）中の前記シリンダーヘッド（Ｚ）が鋳造構造を有しており、前記鋳造構造が、密封表面（Ｆ）の材料除去前の表面と隣接する前記密封表面（Ｆ）の領域に存在する鋳造構造と一致していることを特徴とする、前記シリンダーヘッド。
【請求項９】
密封表面（Ｆ）と燃焼室領域（Ｒ）とが、実質的に平坦であることを特徴とする、請求項８に記載のシリンダーヘッド。
【請求項１０】
少なくとも１つのバルブシート（４，５）が、燃焼室領域（Ｒ）中に形成されることを特徴とする、請求項８又は９に記載のシリンダーヘッド。
【請求項１１】
軽合金メルト（特に、アルミニウムメルト）からなる、請求項８〜１０のいずれか一項に記載のシリンダーヘッド。
【請求項１２】
金属メルト（特に、軽合金メルト）をモールド（１００）へ鋳造し、
ここで、前記モールドは、未完成シリンダーヘッドキャスティング（１）上の密封表面（２）を複製する外周（１０６）を有しているモールドキャビティ（１０４）を含むものとし、前記モールドキャビティ（１０４）は、未完成シリンダーヘッドキャスティング（１）を複製するものとする、
そして、
未完成シリンダーヘッドキャスティング（１）の鋳造、固化、及び、成形後に、密封表面（２）の領域中の厚さにわたって鋳造材料を除去することにより、エンジンブロックの相当する密封表面上へ取り付けるための完成した密封表面（Ｆ）を製造する、材料除去を通じて密封表面（２）を完成させる、
未完成シリンダーヘッドキャスティング（１）を鋳造する方法であって、
密封表面から間隔（Ｈ）を設けて配置され、そして、密封表面（２）の材料除去の過程で除去される材料の厚さ（ＤＺ２）の少なくとも８５％に達する、高台（１０７）が、外周（１０６）と実施的に平行に延びている表面（１０８）を有していることによって、
未完成シリンダーヘッドキャスティング（１）の密封表面（２）中の内部燃焼領域（３）を形成する前記高台（１０７）をモールドの外周（１０６）が有することを特徴とする、前記方法。
【手続補正書】
【提出日】平成21年4月13日(2009.4.13)
【手続補正１】
【補正対象書類名】特許請求の範囲
【補正対象項目名】全文
【補正方法】変更
【補正の内容】
【特許請求の範囲】
【請求項１】
多段真空ポンプであって、多段ロータ組立体を収容したステータを有し、各段は、噛み合い形ルーツロータコンポーネントを含み、前記ポンプの入口段における前記ロータコンポーネントの先端部半径は、前記ポンプの排出段における前記ロータコンポーネントの先端部半径よりも大きい、ことを特徴とする真空ポンプ。
【請求項２】
前記排出段ロータコンポーネントの前記先端部半径は、前記入口段ロータコンポーネントの前記先端部半径よりも少なくとも１５％小さい、請求項１記載の真空ポンプ。
【請求項３】
前記排出段ロータコンポーネントの前記先端部半径は、前記入口段ロータコンポーネントの前記先端部半径よりも少なくとも２０％小さい、請求項１又は２記載の真空ポンプ。
【請求項４】
前記真空ポンプは、各々が第１の先端部半径のロータコンポーネントを含む第１の個数の排気段と、各々が前記第１の先端部半径よりも小さな第２の先端部半径のロータコンポーネントを含む第２の個数の排気段とを有する、請求項１〜３のいずれか１項に記載の真空ポンプ。
【請求項５】
前記第１の個数の排気段及び前記第２の個数の排気段は各々、複数個の排気段から成る、請求項４記載の真空ポンプ。
【請求項６】
前記第１の複数個の排気段と前記第２の複数個の排気段との間に設けられ、大気圧よりも高い圧力のガスを前記ステータから排出する一方向弁を有する、請求項４又は５記載の真空ポンプ。
【請求項７】
前記ロータコンポーネントの各々は、複数個の突出部を有し、前記ポンプの前記入口段における前記ロータコンポーネントは、前記ポンプの前記排出段における前記ロータコンポーネントと同数の突出部を有する、請求項１〜６のいずれか１項に記載の真空ポンプ。
【請求項８】
前記ロータコンポーネントの各々は、２〜５個の突出部を有する、請求項７記載の真空ポンプ。
【請求項９】
前記ロータコンポーネントの各々は、３つの突出部を有する、請求項８記載の真空ポンプ。
【請求項１０】
各段は、互いに異なる輪郭を有するロータコンポーネントを含む、請求項１〜９のいずれか１項に記載の真空ポンプ。
【請求項１１】
ある段の一方の前記ロータコンポーネントは、前記段の他方のロータコンポーネントの突出部を受け入れるソケットを有する、請求項１０記載の真空ポンプ。
【請求項１２】
前記ロータ組立体は、２つの互いに噛み合った組をなすルーツ式ロータコンポーネントを含み、各組は、前記ステータに対して回転可能にそれぞれのシャフトに取り付けられている、請求項１〜１１のいずれか１項に記載の真空ポンプ。
【請求項１３】
前記ポンプの前記入口段における前記ロータコンポーネント間の噛み合いクリアランスは、前記ポンプの前記排出段における前記ロータコンポーネント間の噛み合いクリアランスよりも大きい、請求項１〜１２のいずれか１項に記載の真空ポンプ。
【手続補正書】
【提出日】平成21年6月19日(2009.6.19)
【手続補正１】
【補正対象書類名】特許請求の範囲
【補正対象項目名】全文
【補正方法】変更
【補正の内容】
【特許請求の範囲】
【請求項１】
デジタルカメラを使用してキャプチャされた画像からデジタルプリンタを使用したプリントを生成する方法であって、
（ａ）特定の印刷機能を有するデジタルプリンタを提供するステップと、
（ｂ）前記デジタルプリンタの印刷機能を規定するプロファイルを生成するステップと、
（ｃ）前記プロファイルを前記デジタルプリンタに格納するステップと、
（ｄ）着脱可能な記憶装置を使用して前記デジタルプリンタから前記デジタルカメラに前記プロファイルを転送するステップと、
（ｅ）前記デジタルカメラを使用して画像をキャプチャし、該キャプチャされた画像を前記着脱可能な記憶装置に格納するステップと、
（ｆ）前記デジタルカメラを使用して前記デジタルプリンタの少なくとも１つのプリンタ機能を用いたプリント注文を生成するステップと、
（ｇ）前記プリント注文を前記着脱可能な記憶装置に格納するステップと、
（ｈ）前記デジタルカメラから前記デジタルプリンタに前記着脱可能な記憶装置を転送するステップと、
（ｉ）前記デジタルプリンタ上で前記プリント注文を印刷するステップと、
を有する方法。
【請求項２】
デジタルカメラによりキャプチャされ、通信ネットワークを介しサービスプロバイダに転送される画像を使用して、前記サービスプロバイダにおいてプリントを生成する方法であって、
（ａ）前記通信ネットワークを介しサービスプロバイダと通信するためのモデムを有するデジタルカメラを提供するステップと、
（ｂ）前記サービスプロバイダが前記通信ネットワークを使用して、デジタルプリンタの印刷機能を前記デジタルカメラと通信するステップと、
（ｃ）前記デジタルカメラを使用してデジタル画像をキャプチャするステップと、
（ｄ）前記デジタルプリンタの印刷機能を使用して、前記デジタルカメラにおいて印刷注文を生成するステップと、
（ｅ）前記デジタル画像と前記プリント注文とを前記サービスプロバイダに通信するステップと、
（ｆ）前記デジタルプリンタを使用して、前記プリント注文において指定された前記デジタル画像のプリントを生成するステップと、
を有する方法。
【請求項３】
前記デジタルプリンタの印刷機能は、少なくとも１つのプリントサイズを含む、請求項２記載の方法。
【手続補正書】
【提出日】平成21年7月13日(2009.7.13)
【手続補正１】
【補正対象書類名】特許請求の範囲
【補正対象項目名】全文
【補正方法】変更
【補正の内容】
【特許請求の範囲】
【請求項１】
メディア配信システムのリソース使用レベルを監視することと、
リソース使用レベルがリソース競合の可能性を提示しているかどうかを判断することと、
所定のポリシに従ってメディア配信オプションを変更して、リソース使用を低減し、リソース競合の結果として起こり得るメディアレンダリングの混乱を回避することと
を備えることを特徴とする方法。
【請求項２】
メディア配信システムのリソース使用レベルを監視することは、ＣＰＵの使用に関するデータを収集すること、配信システムメモリの使用に関するデータを収集すること、ＰＣ上のハードディスクの使用に関するデータを収集すること、Ｉ／Ｏインタフェースの使用に関するデータを収集すること、およびネットワークの使用に関するデータを収集することの少なくとも１つを備えることを特徴とする請求項１に記載の方法。
【請求項３】
メディア配信オプションを変更することは、ＤＲＭ保護のかかったメディアコンテンツの代わりに非ＤＲＭメディアコンテンツをレンダリングすることを備えることを特徴とする請求項１に記載の方法。
【請求項４】
メディア配信オプションを変更することは、オーディオ／ビデオコンテンツからオーディオコンテンツに切り替えることを備えることを特徴とする請求項１に記載の方法。
【請求項５】
メディア配信オプションを変更することは、ストリーミングされたメディアコンテンツを遅延再生のためにダウンロードしキャッシュすることを備えることを特徴とする請求項１に記載の方法。
【請求項６】
メディア配信オプションを変更することは、前記リソース競合の可能性をユーザに通知し、前記リソース競合の可能性を解決するための少なくとも１つの手順をユーザに提示し、ユーザの選択した手順を受け取り、前記ユーザの選択した手順を実施することを備えることを特徴とする請求項１に記載の方法。
【請求項７】
プレイン・イングリッシュでユーザに提示されたいくつかのオプションのうちから所定のポリシをユーザが選択できるようにすることをさらに備えることを特徴とする請求項１に記載の方法。
【請求項８】
メディア配信オプションを変更することは、ＨＤチャネルからＳＤチャネルに切り替えることを備えることを特徴とする請求項１に記載の方法。
【請求項９】
メディア配信システムのリソースの使用に関するデータを収集し、ユーザエクスペリエンスの混乱を防ぐために目標ポリシに従って前記メディア配信システムに命令を発行することによりリソース競合の可能性に対処するように構成されたメディアエクスペリエンスポリシエンジンを備えたことを特徴とするサーバ。
【請求項１０】
前記サーバは、ホームＰＣおよびセットトップボックスのいずれかであることを特徴とする請求項９に記載のサーバ。
【請求項１１】
前記目標ポリシは、高優先度のユーザに対して最高品質のユーザエクスペリエンスを維持し、低優先度のユーザに対してユーザエクスペリエンスを劣化させることを規定することを特徴とする請求項９に記載のサーバ。
【請求項１２】
前記目標ポリシは、前記メディア配信システムの全ユーザに対してユーザエクスペリエンスの同等の劣化を規定することを特徴とする請求項９に記載のサーバ。
【請求項１３】
前記メディアエクスペリエンスポリシエンジンは、オペレーティングシステムに存在することを特徴とする請求項９に記載のサーバ。
【請求項１４】
コンピュータ可読命令を有するコンピュータ可読記憶媒体であって、実行されると、
メディア配信システムの現在の状態を監視することと、
前記現在の状態がリソース競合の可能性を提示しているかどうかを判断することと、
所定のポリシに従ってメディアコンテンツを配信するための命令を前記メディア配信システムに対して発行して、リソース使用を低減し、メディアレンダリングの混乱を回避することと
を備える動作を行うことを特徴とするコンピュータ可読記憶媒体。
【請求項１５】
請求項１４のコンピュータ可読命令を利用して、少なくとも１ユーザへのメディアコンテンツの配信を可能にする少なくとも１つのサーバを備えたことを特徴とするメディア配信システム。
【手続補正書】
【提出日】平成21年8月29日(2009.8.29)
【手続補正１】
【補正対象書類名】明細書
【補正対象項目名】０００３
【補正方法】変更
【補正の内容】
【０００３】
本発明の主題の目的は、消費者が安全に品物を購入できる、または商取引若しくは同様の処理をリアルタイムでできるシステムおよび／または方法を提供することであり、指定アドレスまたは他の同様の宛先へ特定の購入または発注のためのテキストメッセージ（例えば、ショートメッセージサービス（ｓｈｏｒｔ  ｍｅｓｓａｇｅ  ｓｅｒｖｉｃｅ：ＳＭＳ））命令を携帯電話または他の同様のデバイスを使用して行うものである。
一般に、販売者（または代理人）は、商品及び／またはサービスを販売するために例えば自宅に居ながら買い物ができるテレビジョンネットワーク（ｓｈｏｐ−ｆｒｏｍ−ｈｏｍｅ  ｔｅｌｅｖｉｓｉｏｎ  ｎｅｔｗｏｒｋｓ）、一般的なテレビ番組及び／または広告、ラジオ放送及び／または広告、カタログショッピング及び／または他の同様のチャネルなどの様々なルートを利用する。上述したチャネルから生じる商取引は、過去において典型的には、従来の通信販売／電話注文（ｍａｉｌ  ｏｒｄｅｒ／ｔｅｌｅｐｈｏｎｅ  ｏｒｄｅｒ：ＭＯＴＯ）システム、インターネットを使った発注及び／または購入システム、及び同様のものを使用して実施されてきた。この種の販売者の多くは、テキストメッセージ購入命令、発注を読み取る、またはこれに対応するための装備を持たない。したがって、本発明の主題は、テキストメッセージ命令を読み取る装備がないような販売者に、テキストメッセージを起動する処理（例えば、購入及び／または発注）を行う方法を提供するものである。
この出願の発明に関連する先行技術文献情報としては、以下のものがある（国際出願日以降国際段階で引用された文献及び他国に国内移行した際に引用された文献を含む）。
【特許文献１】米国特許出願公開第２００２／０１８７７７４号明細書
【特許文献２】米国特許出願公開第２００５／０１３１８３７号明細書
【特許文献３】米国特許出願公開第２００５／００６０２５０号明細書
【特許文献４】米国特許出願公開第２００４／００１９５６４号明細書
【特許文献５】米国特許出願公開第２００７／０２４１１８９号明細書
【手続補正書】
【提出日】平成21年2月16日(2009.2.16)
【手続補正１】
【補正対象書類名】特許請求の範囲
【補正対象項目名】全文
【補正方法】変更
【補正の内容】
【特許請求の範囲】
【請求項１】
第１コンピューティング・ノードと、第２コンピューティング・ノードおよび記憶デバイスのうちの少なくとも１つとから成るシステムにおいて、前記第１コンピューティング・ノードから前記記憶デバイスおよび前記第２コンピューティング・ノードのうちの少なくとも１つへ情報を伝達する方法であって、
利用可能なリソースについての少なくとも１つの見積もりを収集するために、前記第１コンピューティング・ノードを監視するステップと、
収集されるデータ量を、利用可能なリソースについての前記少なくとも１つの見積もりに基づいて変更するステップと、
前記データを、次のうちの少なくとも１つ、すなわち前記記憶デバイスおよび前記第２コンピューティング・ノードのうちの少なくとも１つへ送信するステップと、
を含む方法。
【請求項２】
利用可能なリソースについての前記少なくとも１つの見積もりは、次のうちの少なくとも１つ、すなわち処理能力、Ｉ／Ｏ帯域幅およびネットワーク帯域幅のうちの少なくとも１つの見積もりを含む、請求項１に記載の方法。
【請求項３】
収集されるデータ量の前記変更することは、前記データのパーツが収集される頻度を変更することを含む、請求項１に記載の方法。
【請求項４】
収集されるデータ量の前記変更することは、複数エンティティをより少ない数のエンティティに結合することを含む、請求項１に記載の方法。
【請求項５】
利用可能なリソースについての前記少なくとも１つの見積もりの増加に応答して、収集されるデータ量を増やすステップをさらに含む、請求項１に記載の方法。
【請求項６】
前記エンティティは数値を含み、複数エンティティをより少ない数のエンティティへ前記結合することは、次のうちの少なくとも１つ、すなわち平均および移動平均のうちの少なくとも１つを計算することを含む、請求項４に記載の方法。
【請求項７】
データ集約用のバッチ・サイズを決定する方法であって、
次のうちの１つ、すなわち記憶デバイスおよびコンピューティング・ノードのうちの１つへデータを送信する複数の第１コストを、別々のサイズの関数として見積もるステップと、
前記データの喪失の複数の第２コストを、別々のサイズの関数として見積もるステップと、
見積もられた前記第１コストおよび前記第２コストに基づき前記バッチ・サイズを選択するステップと、
を含む方法。
【請求項８】
前記第１コストを見積もることはコスト関数を決定することを含む、請求項７に記載の方法。
【請求項９】
前記第２コストを見積もることはコスト関数を決定することを含む、請求項７に記載の方法。
【請求項１０】
前記バッチ・サイズは、見積もられた前記コストのうちの少なくとも２つの集約を最小にすることにより決定される、請求項７に記載の方法。
【請求項１１】
前記バッチ・サイズに一致する量のデータを、前記記憶デバイスおよび前記コンピューティング・ノードのうちの少なくとも１つへ送信するステップをさらに含む、請求項７に記載の方法。
【請求項１２】
前記集約は合計を含む、請求項１０に記載の方法。
【請求項１３】
データを選択的に圧縮する方法であって、
複数の圧縮アルゴリズムのうち、利用可能な処理用リソースを上回るオーバーヘッドを招かないのはどれであるかを決定するステップと、
前記利用可能な処理用リソースを上回るオーバーヘッドを招かないと決定された前記圧縮アルゴリズムのうちの１つを選択するステップであって、前記選択されたアルゴリズムは圧縮を最大化する、前記選択するステップと、
を含む方法。
【請求項１４】
前記選択されたアルゴリズムは、データに適用されたときに忠実度において閾値を上回る、請求項１３に記載の方法。
【請求項１５】
第１コンピューティング・ノードと、第２コンピューティング・ノードおよび記憶デバイスのうちの少なくとも１つとから成るシステムにおいて、前記第１コンピューティング・ノードから前記記憶デバイスおよび前記第２コンピューティング・ノードのうちの少なくとも１つへ情報を伝達するためのプログラムであって、コンピュータに、
利用可能なリソースについての少なくとも１つの見積もりを収集するために、前記第１コンピューティング・ノードを監視するステップと、
収集されるデータ量を、利用可能なリソースについての前記少なくとも１つの見積もりに基づいて変更するステップと、
前記データを、次のうちの少なくとも１つ、すなわち前記記憶デバイスおよび前記第２コンピューティング・ノードのうちの少なくとも１つへ送信するステップと、
を実行させる、前記プログラム。
【請求項１６】
データ集約用のバッチ・サイズを決定するためのプログラムであって、コンピュータに、
次のうちの１つ、すなわち記憶デバイスおよびコンピューティング・ノードのうちの１つへデータを送信する複数の第１コストを、別々のサイズの関数として見積もるステップと、
前記データの喪失の複数の第２コストを、別々のサイズの関数として見積もるステップと、
見積もられた前記第１コストおよび前記第２コストに基づき前記バッチ・サイズを選択するステップと、
を実行させる、前記プログラム。
【請求項１７】
データを選択的に圧縮するためのプログラムであって、コンピュータに、
複数の圧縮アルゴリズムのうち、利用可能な処理用リソースを上回るオーバーヘッドを招かないのはどれであるかを決定するステップと、
前記利用可能な処理用リソースを上回るオーバーヘッドを招かないと決定された前記圧縮アルゴリズムのうちの１つを選択するステップであって、前記選択されたアルゴリズムは圧縮を最大化する、前記選択するステップと、
を実行させる、前記プログラム。
【手続補正書】
【提出日】平成21年6月1日(2009.6.1)
【手続補正１】
【補正対象書類名】特許請求の範囲
【補正対象項目名】全文
【補正方法】変更
【補正の内容】
【特許請求の範囲】
【請求項１】
ピアツーピア・ネットワークを介して行われる会議に参加者を加える方法であって、
前記会議を開始するステップと、
前記会議の開始後に、前記会議に対応する会議記録を作成するステップと、
前記会議記録を、サブネットの会議グラフまたは発見プロトコルのうち少なくとも一方に送るステップであって、前記会議記録は、インターネット・プロトコル・アドレスまたはネットワークエンドポイントのうち少なくとも一方を含むステップと、
現在の無線セッションを列挙するステップと、
各列挙された無線セッションに関連するデータトラフィックを監視するステップと、
どの前記列挙された無線セッションがオンライン会議を表すかを決定するステップと、
会議であると決定された前記列挙された無線セッションのそれぞれにおいて発行されたデータから会議記録を得るステップと、
前記会議に参加することを求める要求を要求当事者から受け取るステップであって、前記要求は、前記会議記録からのデータを含むステップと、
前記会議に参加することを求める前記要求が基準を満たすときに、招待状を前記要求当事者に送るステップと、
を含む方法。
【請求項２】
会議主催者アプリケーションインスタンスを介して前記要求当事者を前記会議に参加させるステップを更に含む、請求項１に記載の方法。
【請求項３】
前記会議のパスワードおよび招待状を会議の被招待者に送るステップを更に含み、
前記会議に参加者することを求める要求を受け取るステップが、前記パスワードを受け取るステップを含み、
前記基準が前記パスワードの検証を含む、請求項１に記載の方法。
【請求項４】
前記会議記録、または、追加の会議記録のそれぞれ、のうちの少なくとも一方についての会議情報を表示するステップを更に含む、請求項１に記載の方法。
【請求項５】
ピアツーピア・ネットワークにおける動作に適合されたコンピュータであって、該コンピュータが、
命令を実行するための処理装置と、
前記コンピュータとネットワークの間で伝送されるデータを結合するための、処理装置に結合されたネットワークデバイスと、
コンピュータ実行可能命令を格納するための、前記処理装置に結合されたメモリと、
を備えており、前記コンピュータ実行可能命令が、
観測可能な無線セッションをカタログするピアツーピア・サブネット上の会議に対応する記録を発見するステップであって、前記観察可能な無線セッションのそれぞれからのデータを監視するステップが、
どの前記観察可能な無線セッションが会議であるかを決定するステップと、
会議であると決定された前記観察可能な無線セッションの少なくとも１つにおいて発行されたデータから前記会議記録を得るステップと
を含む、会議に対応する記録を発見するステップと、
前記記録を読み取るステップと、
前記会議に対応する情報を表示するステップと、
１つの前記会議の選択を受け取るステップと、
前記会議のうちの前記１つに参加することを求める要求を送るステップと、
前記要求が承認されたときに前記会議に参加するステップと
を含む方法を実行するための命令であることを特徴とする、
コンピュータ。
【手続補正書】
【提出日】平成21年1月22日(2009.1.22)
【手続補正１】
【補正対象書類名】特許請求の範囲
【補正対象項目名】全文
【補正方法】変更
【補正の内容】
【特許請求の範囲】
【請求項１】
生体認証音声識別を用いて、意図された受信者を認証し該受信者によるファイルの受信を確認するために、コンピュータ・ネットワーク中で前記受信者に送信される前記ファイルを符号化するための方法であって、
−  暗号化鍵を選択するステップと、
−  音声チェック・チケットを前記暗号化鍵と関連付けるステップと、
−  少なくとも前記暗号化鍵を含む前記音声チェック・チケットのアドレスを決定するステップと、
−  送信される前記ファイルを、前記暗号化鍵を用いて暗号化するステップと、
−  前記音声チェック・チケット・アドレスを前記ファイルと関連付けるステップと、
を含む方法。
【請求項２】
前記音声チェック・チケット・アドレスを前記ファイルと関連付ける前記ステップが、前記音声チェック・チケット・アドレスを前記ファイルのファイル名中に符号化するステップを含む、請求項１に記載の方法。
【請求項３】
暗号化鍵を選択する前記ステップが、前記暗号化鍵を生成するステップを含む、請求項１または２に記載の方法。
【請求項４】
暗号化鍵を選択する前記ステップが、前記暗号化鍵を別のコンピュータ・デバイスから受信するステップを含む、請求項１または２に記載の方法。
【請求項５】
少なくとも前記暗号化鍵を含む音声チェック・チケットの前記アドレスを決定する前記ステップが、前記音声チェック・チケットを生成するステップを含む、先行請求項のいずれか１項に記載の方法。
【請求項６】
少なくとも前記暗号化鍵を含む音声チェック・チケットの前記アドレスを決定する前記ステップが、
−  前記暗号化鍵を送信し、少なくとも前記暗号化鍵を含む音声チェック・チケットを要求するステップと、
−  前記音声チェック・チケットのアドレスを受信するステップと、
を含む請求項１に記載の方法。
【請求項７】
前記音声チェック・チケットが、テキストの一部をさらに含む、先行請求項のいずれか１項に記載の方法。
【請求項８】
先行請求項のいずれか１項に記載の方法に従って符号化されたファイルを復号するための方法であって、
−  音声チェック・チケットの前記アドレスを前記ファイルから抽出し、前記音声チェック・チケット・アドレスを復号するステップと、
−  前記音声チェック・チケット・アドレスにおける前記音声チェック・チケットに関連付けられた音声チェック・テキストにアクセスするステップと、
−  前記音声チェック・テキストの読み上げを送信するステップと、
−  前記読み上げの声紋が前記音声チェック・チケットと関連付けられた声紋と一致すれば、解読鍵を受信するステップと、
−  前記解読鍵を用いて前記ファイルを解読するステップと、
を含む方法。
【請求項９】
前記読み上げの前記声紋が前記音声チェック・チケットと関連付けられた前記声紋と一致し、前記読み上げの前記テキストが前記音声チェック・チケットと関連付けられた前記音声チェック・テキストと一致すれば、前記暗号化鍵が送信される、請求項８に記載の方法。
【請求項１０】
前記音声チェック・チケットの前記アドレスが、ファイルの名前の内部に符号化される、請求項８または９のいずれか１項に記載の方法。
【請求項１１】
請求項１〜７のいずれか１項に記載の方法に従って符号化されたファイルの受信者を認証するための方法であって、
−  前記受信者からの要求があり次第、前記要求と共にアドレスが受信される前記音声チェック・チケットに関連付けられた音声チェック・テキストを送信するステップと、
−  前記受信者からのテキスト読み上げが受信され次第、
−  前記テキスト読み上げから声紋を抽出するステップと、
−  前記抽出された声紋を前記受信者に関連付けられた前記声紋と比較するステップと、
−  前記抽出された声紋が前記受信者に関連付けられた前記声紋と一致すれば、前記音声チェック・チケットに関連付けられた前記暗号化鍵を前記受信者に送信するステップと、
を含む方法。
【請求項１２】
−  前記受信者からのテキスト読み上げが受信され次第、
−  前記テキスト読み上げをテキストに変換するステップと、
−  前記変換されたテキストを前記音声チェック・チケットと関連付けられた前記音声チェック・テキストと比較するステップと、
−  抽出された声紋が前記受信者と関連付けられた前記声紋と対応し、前記変換されたテキストが前記音声チェック・チケットと関連付けられた前記音声チェック・テキストと対応すれば、前記受信者に、前記音声チェック・チケットと関連付けられた前記暗号化鍵を送信するステップと、
をさらに含む、請求項１１に記載の方法。
【請求項１３】
前記方法が、サービス・プロバイダ・サーバ内に実装される、請求項１１または１２に記載の方法。
【請求項１４】
先行請求項のいずれか１項に記載の前記方法の各ステップを実行するよう適合された手段を含む、装置。
【請求項１５】
請求項１〜１３のいずれか１項に記載の方法の各ステップをコンピュータに実行させる、コンピュータプログラム。
【手続補正書】
【提出日】平成21年7月22日(2009.7.22)
【手続補正１】
【補正対象書類名】明細書
【補正対象項目名】００１４
【補正方法】変更
【補正の内容】
【００１４】
しかしながら、さらなる改善は、常に可能なことである。概念的に理解することが最も単純な改善は、それ自体に小型の構築をあたえる設計であろう。よりかすかな進歩は、偏光させられた光を操るための異なる方式及び視野のような光学的なパラメータの改善を伴うものであるかもしれない。加えて、光学的な位相の偏移を分与するためのＭＥＭＳのデバイスにおけるバリエーションは、異なる用途において望ましいものである。
【特許文献１】米国特許第４，７１０，７３２号明細書
【特許文献２】米国特許第５，３１１，３６０号明細書
【特許文献３】米国特許第５，９８２，５５３号明細書
【特許文献４】米国特許第６，０８８，１０２号明細書
【特許文献５】米国特許第６，４６６，３５４号明細書
【特許文献６】米国特許第６，７２４，５１５号明細書
【特許文献７】米国特許第７，０５４，０５１号明細書
【特許文献８】米国特許出願公開第２００６／０１１４５５４Ａ１号明細書
【特許文献９】米国特許出願公開第２００６／０２３８８５１Ａ１号明細書
【手続補正書】
【提出日】平成21年7月23日(2009.7.23)
【手続補正１】
【補正対象書類名】特許請求の範囲
【補正対象項目名】全文
【補正方法】変更
【補正の内容】
【特許請求の範囲】
【請求項１】
オーディオの処理において、複数の入力チャンネルを受け取り、入力チャンネルの数よりも多い数のオーディオ出力チャンネルを生成することを特徴とする、オーディオの処理方法であって、
１以上の前記複数のオーディオ入力チャンネルにおける時間に関するスペクトル形状の変化を検出するステップと、
前記１以上の前記複数のオーディオ入力チャンネルにおいて、オーディオ信号における聴覚事象の連続的に継続する境界を特定するステップであって、時間についての閾値を越えるスペクトル形状の変化により境界を定め、聴覚事象は、別々の分離したものとして識別される連続する境界間のオーディオのセグメントであり、連続的に継続する聴覚事象が得られるように、各境界は、先行する聴覚事象の終端であり、次の聴覚事象の先端であることを特徴とするステップと、
前記オーディオ出力チャンネルを、少なくとも部分的には聴覚事象の境界及び／又は前記聴覚事象の境界に関連付けられた前記スペクトル形状の変化の程度に応答して生成するステップと、
を具備することを特徴とするオーディオの処理方法。
【請求項２】
前記オーディオ出力チャンネルは、前記聴覚事象の境界でのみコーディングパラメータを更新することにより、聴覚事象の境界に応答して生成されることを特徴とする請求項１に記載の方法。
【請求項３】
前記オーディオチャンネルの各々は、データブロック中のサンプルにより表現されることを特徴とする請求項１又は請求項２に記載の方法。
【請求項４】
前記スペクトル形状は、ブロック中のオーディオのスペクトル形状であることを特徴とする請求項３に記載の方法。
【請求項５】
前記時間についてのスペクトル形状の変化の検出は、ブロックとブロックとの間でのオーディオのスペクトル形状の変化の検出であることを特徴とする請求項４に記載の方法。
【請求項６】
聴覚事象の時間的な開始と終了の境界はそれぞれ、データのブロックの境界に一致することを特徴とする請求項５に記載の方法。
【請求項７】
請求項１乃至請求項６のいずれか１項に記載の方法を実施する手段を具備する装置。
【請求項８】
請求項１乃至請求項６のいずれか１項に記載の方法を実施する請求項７に記載の装置をコンピュータに制御させるための、コンピュータが読み取り可能な媒体。
【請求項９】
請求項１乃至請求項６のいずれか１項に記載の方法をコンピュータ上で実行する、コンピュータが読み取り可能な媒体に記憶されたコンピュータプログラム。
【請求項１０】
請求項１乃至請求項６のいずれか１項に記載の方法により生成されたビットストリーム。
【請求項１１】
請求項１乃至請求項６のいずれか１項に記載の方法を実施するようにした装置により生成されたビットストリーム。
【請求項１２】
複数の入力チャンネルを受け取り、入力チャンネルの数よりも多い数のオーディオ出力チャンネルを生成するようになっていることを特徴とする、オーディオプロセッサであって、
１以上の前記複数のオーディオ入力チャンネルにおける時間に関するスペクトル形状の変化を検出する手段（６”）と、
前記１以上の前記複数のオーディオ入力チャンネルにおいて、オーディオ信号における聴覚事象の連続的に継続する境界を特定する手段であって、時間についての閾値を越えるスペクトル形状の変化により境界を定め、聴覚事象は、別々の分離したものとして識別される連続する境界間のオーディオのセグメントであり、連続的に継続する聴覚事象が得られるように、各境界は、先行する聴覚事象の終端であり、次の聴覚事象の先端であることを特徴とする手段（４”）と、
前記オーディオ出力チャンネルを、少なくとも部分的には聴覚事象の境界及び／又は前記聴覚事象の境界に関連付けられた前記スペクトル形状の変化の程度に応答して生成する手段（２６）と、
を具備することを特徴とするオーディオプロセッサ。
【請求項１３】
複数の入力チャンネルを受け取り、入力チャンネルの数よりも多い数のオーディオ出力チャンネルを生成するようになっていることを特徴とする、オーディオプロセッサであって、
１以上の前記複数のオーディオ入力チャンネルにおける時間に関するスペクトル形状の変化を検出するようになっていると共に、前記１以上の前記複数のオーディオ入力チャンネルにおいて、オーディオ信号における聴覚事象の連続的に継続する境界を特定するようになっている検出手段（４”，６”）であって、時間についての閾値を越えるスペクトル形状の変化により境界を定め、聴覚事象は、別々の分離したものとして識別される連続する境界間のオーディオのセグメントであり、連続的に継続する聴覚事象が得られるように、各境界は、先行する聴覚事象の終端であり、次の聴覚事象の先端であることを特徴とする、検出手段（４”，６”）と、
前記オーディオ出力チャンネルを、少なくとも部分的には聴覚事象の境界及び／又は前記聴覚事象の境界に関連付けられた前記スペクトル形状の変化の程度に応答して生成するようになっているアップミキサーと、
を具備することを特徴とするオーディオプロセッサ。
【手続補正書】
【提出日】平成21年7月22日(2009.7.22)
【手続補正１】
【補正対象書類名】特許請求の範囲
【補正対象項目名】全文
【補正方法】変更
【補正の内容】
【特許請求の範囲】
【請求項１】
光アセンブリであって、
少なくとも２つの平行な表面を有するサブアセンブリと、
前記少なくとも２つの平行な表面のうちの一方の実装表面に隣接するフィルタと、
フィルタと実装表面の間にあって、フィルタの一部のみに当接するスタンドオフと、
スタンドオフおよびフィルタを固定する固定機構とを備えたことを特徴とする光アセンブリ。
【請求項２】
請求項１に記載の光アセンブリであって、
スタンドオフは、所定位置に形成された少なくとも２つのスタンドオフを含み、フィルタに所定量の傾斜を与えるための高さを有することを特徴とする光アセンブリ。
【請求項３】
光アセンブリであって、
実質的に平行な第１および第２の表面を有する第１の透明基板と、
実質的に平行な第３および第４の表面であって、第１および第２の表面と実質的に平行であるものを有する第２の透明基板と、
第２の透明基板上の反射部と、
第１の透明基板と反射部との間にあって、入射光ビームをフィルタ処理する複数のフィルタと、
複数のフィルタおよび反射部が第２の透明基板内でバウンスキャビティを構成し、
バウンスキャビティに入射される光ビームをコリメートするコリメートレンズと、
バウンスキャビティに入射される光ビームに傾斜を与える傾斜機構と、
光ビームを受ける入射ポートと、
光ビームを送る出射ポートとを備えたことを特徴とする光アセンブリ。
【請求項４】
請求項３に記載の光アセンブリであって、
入射ポートおよび出射ポートの一方が第４の表面上の透明部分であることを特徴とする光アセンブリ。
【請求項５】
請求項３に記載の光アセンブリであって、
傾斜機構は、第１および第２の基板の間にあることを特徴とする光アセンブリ。
【請求項６】
請求項５に記載の光アセンブリであって、
傾斜機構は、複数のリソグラフ部品を有することを特徴とする光アセンブリ。
【請求項７】
請求項５に記載の光アセンブリであって、
傾斜機構は、複数のプリズムを有することを特徴とする光アセンブリ。
【請求項８】
請求項３に記載の光アセンブリであって、
複数のフィルタが固定された表面の上にある回折レンズをさらに有することを特徴とする光アセンブリ。
【請求項９】
請求項８に記載の光アセンブリであって、
回折レンズを充填し、複数のフィルタを固定する接着材料をさらに有することを特徴とする光アセンブリ。
【請求項１０】
請求項３に記載の光アセンブリであって、
傾斜機構は、入射ポートおよび複数のフィルタの間にあることを特徴とする光アセンブリ。
【請求項１１】
請求項３に記載の光アセンブリであって、
第４の表面は平坦であることを特徴とする光アセンブリ。
【請求項１２】
請求項１０に記載の光アセンブリであって、
入射ポートおよび出射ポートは第１の表面上にあることを特徴とする光アセンブリ。
【請求項１３】
光アセンブリであって、
第１および第２の表面を有する第１の透明基板と、
実質的に平行な第３および第４の表面を有する第２の透明基板と、
第２の透明基板上にあって、第２の透明基板内にバウンスキャビティを構成する反射部と、
第１の透明基板と反射部との間にあって、入射光ビームをフィルタ処理する複数のフィルタと、
複数のフィルタおよび反射部が第２の透明基板内でバウンスキャビティを構成し、
第１および第２の基板の一方の上にある光ビームを受ける入射ポートと、
第１および第２の基板の一方の上にある光ビームを送る出射ポートと、
第１および第２の基板の間にあるバウンスキャビティに入射される光ビームに傾斜を与える傾斜機構とを備えたことを特徴とする光アセンブリ。
【請求項１４】
請求項１３に記載の光アセンブリであって、
傾斜機構は、複数のプリズムを有することを特徴とする光アセンブリ。
【請求項１５】
請求項１３に記載の光アセンブリであって、
傾斜機構は、複数の回折部品を有することを特徴とする光アセンブリ。
【請求項１６】
請求項１３に記載の光アセンブリであって、
傾斜機構は、傾斜した表面であることを特徴とする光アセンブリ。
【請求項１７】
光アセンブリを作製する方法であって、
第１および第２の表面を有する第１の透明基板を提供するステップと、
実質的に平行な第３および第４の表面を有する第２の透明基板を提供するステップと、
第２の透明基板の第４の表面上に反射部を設けて、第２の透明基板内にバウンスキャビティを形成するステップと、
第１の透明基板と第２の透明基板の反射部との間に複数のフィルタを設けるステップと、
第１の透明基板、第２の透明基板、および複数のフィルタのうち少なくとも２つを一体にダイボンディングするステップとを有することを特徴とする方法。
【請求項１８】
請求項１７に記載の方法であって、
複数のフィルタを第２の透明基板にダイボンディングした後、第２の透明基板を第１の透明基板にダイボンディングするステップをさらに有することを特徴とする方法。
【請求項１９】
請求項１７に記載の方法であって、
複数のフィルタを第２の透明基板の第３の表面に接合させるステップをさらに有することを特徴とする方法。
【請求項２０】
請求項１９に記載の方法であって、
接合させるステップの前に、複数のフィルタを第３の表面上に実装するためのスタンドオフを設けるステップをさらに有することを特徴とする方法。
【請求項２１】
請求項２０に記載の方法であって、
スタンドオフを設けるステップは、リソグラフ技術を用いて部品を形成するステップを有することを特徴とする方法。
【請求項２２】
請求項２０に記載の方法であって、
スタンドオフ上を含めて、第３の表面に接着材料を供給するステップを有することを特徴とする方法。
【請求項２３】
請求項２２に記載の方法であって、
接合させるステップは、フィルタを室温の接着材料に当接させて、第２の基板を加熱するステップを有することを特徴とする方法。
【手続補正２】
【補正対象書類名】図面
【補正対象項目名】全図
【補正方法】変更
【補正の内容】
【図１】
2009503567.tif 000001
【図２】
2009503567.tif 000002
【図３】
2009503567.tif 000003
【図４】
2009503567.tif 000004
【図４Ａ】
2009503567.tif 000005
【図５】
2009503567.tif 000006
【図６】
2009503567.tif 000007
【図７】
2009503567.tif 000008
【図８】
2009503567.tif 000009
【図９】
2009503567.tif 000010
【図１０】
2009503567.tif 000011
【図１１】
2009503567.tif 000012
【手続補正書】
【提出日】平成21年3月4日(2009.3.4)
【手続補正１】
【補正対象書類名】特許請求の範囲
【補正対象項目名】全文
【補正方法】変更
【補正の内容】
【特許請求の範囲】
【請求項１】
あらかじめ設定された出力チャンネルの構成情報として作動する固定チャンネル構成情報を含む段階と、
任意チャンネル構成情報を含む段階と、
を含むことを特徴とする、符号化されたオーディオ信号の生成方法。
【請求項２】
固定チャンネル構成情報と任意チャンネル構成情報とが含まれた符号化されたオーディオ信号を受信する段階と、
前記固定チャンネル構成情報と前記任意チャンネル構成情報を用いて出力チャンネルを構成する段階と、
を含むことを特徴とする、オーディオ信号の処理方法。
【請求項３】
前記任意チャンネル構成情報は、
階層のノードでチャンネル数が増加するか否かを分割識別子と未分割識別子で表示し、
上位階層の上位ノードが分割識別子で表示された場合は、下位階層に分割された数に対応する下位ノードを割り当て、
上位階層のノードが未分割識別子で表示された場合は、下位階層に前記下位ノードを割り当てないことを特徴とする、請求項２に記載のオーディオ信号の処理方法。
【請求項４】
前記任意チャンネル構成情報は、
任意出力チャンネルをスピーカーの位置にマッピングさせる、チャンネルマッピング情報をさらに含むことを特徴とする、請求項３に記載のオーディオ信号の処理方法。
【請求項５】
前記出力チャンネルを構成する段階は、
前記固定チャンネル構成情報を用いてあらかじめ設定された出力チャンネルに対応する固定出力チャンネルを生成する段階と、
前記固定出力チャンネルと前記任意チャンネル構成情報とを用いて任意出力チャンネルを生成する段階と、
を含むことを特徴とする、請求項２に記載のオーディオ信号の処理方法。
【請求項６】
前記任意出力チャンネルを生成する段階は、
前記任意チャンネル構成情報の構成要素として作動する分割識別子または未分割識別子を順次に認識する段階と、
前記認識された識別子に基づいて信号処理を行う段階であって、
前記認識された識別子が分割識別子である場合は、一つの入力チャンネルがチャンネル変換モジュールと連結されて二つの下位チャンネルが生成される段階、および、
前記認識された識別子が未分割識別子である場合は、前記任意出力チャンネルとして前記入力チャンネルを出力する段階、
を備える段階と、
を含むことを特徴とする、請求項５に記載のオーディオ信号の処理方法。
【請求項７】
前記任意出力チャンネルを生成する段階は、
識別子の個数の初期値、前記任意出力チャンネルの個数の初期値、前記チャンネル変換モジュールの個数の初期値を設定する段階と、
前記識別子を認識する段階と、
前記認識された識別子が分割識別子である場合、識別子の個数及びチャンネル変換モジュールの個数を、あらかじめ設定された増加単位で増加させる段階と、
前記認識された識別子が未分割識別子である場合、前記任意出力チャンネルの個数をあらかじめ設定された増加単位で増加させ、かつ、識別子の個数をあらかじめ設定された増加単位で減少させる段階と、を含み、
前記識別子の個数が‘０’になるまで、前記認識する段階、前記識別子の個数及び前記チャンネル変換モジュールの個数を増加させる段階、及び前記任意出力チャンネル数を増加させかつ前記識別子の個数を減少させる段階を繰り返し行うことを特徴とする、請求項５に記載のオーディオ信号の処理方法。
【請求項８】
前記任意出力チャンネルを生成する段階は、
チャンネルマッピング情報に基づいて前記任意出力チャンネルをスピーカーにマッピングさせる段階をさらに含むことを特徴とする、請求項７に記載のオーディオ信号の処理方法。
【請求項９】
固定チャンネル構成情報と任意チャンネル構成情報とが含まれた符号化されたオーディオ信号を受信するオーディオ信号受信ユニットと、
前記固定チャンネル構成情報と前記任意チャンネル構成情報とを用いて出力チャンネルを構成するチャンネル構成ユニットと、
を備えることを特徴とする、オーディオ信号の処理装置。
【請求項１０】
前記任意チャンネル構成情報は、
階層のノードでチャンネル数が増加するか否かを分割識別子および未分割識別子を使って表示し、
上位階層の上位ノードが分割識別子で表示された場合は、下位階層に分割された数に対応する下位ノードを割り当て、
上位階層のノードが未分割識別子で表示された場合は、下位階層に前記下位ノードを割り当てないことを特徴とする、請求項９に記載のオーディオ信号の処理装置。
【請求項１１】
前記任意チャンネル構成情報は、
任意出力チャンネルをスピーカーの位置にマッピングさせる、チャンネルマッピング情報をさらに含むことを特徴とする、請求項１０に記載のオーディオ信号の処理装置。
【請求項１２】
前記チャンネル構成ユニットは、
前記固定チャンネル構成情報を用いてあらかじめ設定された出力チャンネルに対応する固定出力チャンネルを生成するし、前記固定出力チャンネルと前記任意チャンネル構成情報とを用いて任意出力チャンネルを生成することを特徴とする、請求項９に記載のオーディオ信号の処理装置。
【請求項１３】
前記チャンネル構成ユニットは、
前記任意チャンネル構成情報の構成要素として作動する分割識別子または未分割識別子を順次に認識し、
前記認識された識別子に基づいて信号処理を行い、前記信号処理では、前記認識された識別子が分割識別子である場合は、一つの入力チャンネルがチャンネル変換モジュールと連結されて二つの下位チャンネルが生成され、前記認識された識別子が未分割識別子である場合は、前記任意出力チャンネルとして前記入力チャンネルを出力することを特徴とする、請求項１２に記載のオーディオ信号の処理装置。
【請求項１４】
前記チャンネル構成ユニットは、
チャンネルマッピング情報に基づいて前記任意出力チャンネルをスピーカーにマッピングさせることを特徴とする、請求項１２に記載のオーディオ信号の処理装置。